(57)【要約】【課題】室外から室内に入射する光量をプリーツスクリーンにより容易に調節するとともに、スクリーン部の折畳み強度が高くて折畳み難くても、スクリーン部を密着した状態に折畳んで、折畳み時のスクリーン部の見栄えを損なわず、折畳み代を最小限に抑える。【解決手段】スクリーン本体１１が、交互に連結された光透過度の異なる第１及び第２スクリーン部１１ａ，１１ｂを有する。ヘッドレール１２から垂下された昇降コード１４がスクリーン本体下端のボトムレール１３を昇降させてスクリーン本体を折畳み可能に展開する。第１開閉コード２１が各第１スクリーン部の下端をそれぞれ連結し、第２開閉コード２２が各第２スクリーン部の下端をそれぞれ連結する。光透過度切換操作コード１６が第１及び第２スクリーン部の折畳み状態又は展開状態への変更を切換え、ウエイト部材１７が第１及び第２スクリーン部に展開する方向に力を付与する。【選択図】図１
0003141530.tif 000002
【実用新案登録請求の範囲】
【請求項１】
水平方向に延びて設けられかつ水平方向に延びる折り目(11c,11d)で折畳み可能に展開され更に鉛直方向に交互に連結された光透過度の異なる複数枚の第１及び第２スクリーン部(11a,11b)を有するスクリーン本体(11)と、
前記スクリーン本体(11)の上端を保持するヘッドレール(12)と、
前記スクリーン本体(11)の下端に取付けられたボトムレール(13)と、
前記ヘッドレール(12)から垂下され前記ボトムレール(13)に連結されて前記ボトムレール(13)を昇降させるとともに前記スクリーン本体(11)を折畳み可能に展開する昇降コード(14)と、
前記ヘッドレール(12)から垂下され前記複数枚の第１スクリーン部(11a)の下端をそれぞれ連結するとともに前記複数枚の第１スクリーン部(11a)を全開にしかつ前記複数枚の第２スクリーン部(11b)を折畳んだ状態で一直線上に延びる長さを有する第１開閉コード(21)と、
前記ヘッドレール(12)から垂下され前記複数枚の第２スクリーン部(11b)の下端をそれぞれ連結するとともに前記複数枚の第２スクリーン部(11b)を全開にしかつ前記複数枚の第１スクリーン部(11a)を折畳んだ状態で一直線上に延びる長さを有する第２開閉コード(22)と、
前記第１スクリーン部(11a)を折畳み状態から展開状態に変更するとき前記第２スクリーン部(11b)を展開状態から折畳み状態に変更しかつ前記第１スクリーン部(11a)を展開状態から折畳み状態に変更するとき前記第２スクリーン部(11b)を折畳み状態から展開状態に変更する光透過度切換操作コード(16)と、
前記第１及び第２スクリーン部(11a,11b)に展開する方向に力を付与するウエイト部材(17)と
を備えたプリーツスクリーン。
【請求項２】
ウエイト部材(17)が第１又は第２開閉コード(11a,11b)のいずれか一方又は双方の下端に設けられた請求項１記載のプリーツスクリーン。
【請求項３】
ウエイト部材(47)が、複数枚の第１スクリーン部(11a)の下端にそれぞれ取付けられた複数の第１錘(47a)と、複数枚の第２スクリーン部(11b)の下端にそれぞれ取付けられた複数の第２錘(47b)とを有する請求項１記載のプリーツスクリーン。
【請求項４】
第１開閉コード(71)の上端と第２開閉コード(22)の上端とが切換プーリ(73)を介して連結され、前記切換プーリ(73)が光透過度切換操作コード(16)により回動されるように構成された請求項１ないし３いずれか１項に記載のプリーツスクリーン。
【請求項５】
第１スクリーン部(11a)が厚さの薄い生地により形成されて採光性を有し、第２スクリーン部(11b)が厚さの厚い生地により形成されて遮光性を有する請求項１ないし４いずれか１項に記載のプリーツスクリーン。
【考案の詳細な説明】
【技術分野】
【０００１】
本考案は、ヘッドレールから垂下されたスクリーン本体及び昇降コードの下端にボトムレールが取付けられ、スクリーン本体にプリーツと呼ばれるヒダが形成され、昇降コードが昇降することによりスクリーン本体が折畳み可能に展開されるプリーツスクリーンに関するものである。
【背景技術】
【０００２】
従来、この種のプリーツスクリーンとして、上下方向に所定寸法毎にプリーツが設けられたスクリーンの上端がヘッドボックスに固定され、スクリーンの下端がボトムレールに固定されて、ヘッドボックスから昇降可能に垂下された昇降コードがボトムレールに連結されて、昇降コードが昇降することによってスクリーンが折畳み可能に展開されるプリーツスクリーンが開示されている（例えば、特許文献１参照。）。このプリーツスクリーンでは、所定ピッチ毎に異なる第１スクリーン要素と第２スクリーン要素とが交互に連続的に連結されることよってスクリーンが構成される。またヘッドボックスから昇降可能に垂下される第１開閉用コードが各第１スクリーン要素の下端部に順次連結され、ヘッドボックスから垂下される第２開閉用コードが各第２スクリーン要素の下端部に順次連結される。更に第１開閉用コードと第２開閉用コードの少なくとも一方がヘッドボックスから昇降可能に構成される。
【０００３】
このように構成されたプリーツスクリーンでは、第１及び第２スクリーン要素が連続的に直接連結されており、ウエイト材などを介することがないため、折畳み代を小さくすることができる。また１つのピッチ毎又は少数ピッチ毎に第１スクリーン要素と第２スクリーン要素とを連結すれば、一方のスクリーン要素を折畳んだときに、その折畳み代が１箇所に集中せず、一方のスクリーン要素が他方のスクリーン要素に重なるようにして折畳まれるので、折畳み代が嵩張ることがなく、美観的に好ましいものとなる。更に上記切換操作における操作ストロークも小さくて済み、切換操作を容易に行うことができるとともに、第１及び第２スクリーン要素が一同に切換わるため、その切換動作が美しいと記載されている。
【特許文献１】特開２００７−２３５７６号公報（請求項１、段落［０００９］）
【考案の開示】
【考案が解決しようとする課題】
【０００４】
しかし、上記従来の特許文献１に示されたプリーツスクリーンでは、スクリーン要素の折り目の変形抵抗が大きくてスクリーン要素が折畳み難かったり或いは展開し難い場合、特にスクリーン要素の折畳み強度が高くて折畳み難い場合、スクリーン要素の自重だけではスクリーン要素を密着した状態で折畳むことができず隙間が生じてしまい、折畳み時のスクリーン要素の見栄えを損なうとともに折畳み代が大きくなるおそれがあった。本考案の目的は、室外から室内に入射する光量を容易に調節できるとともに、スクリーン部が折畳み難くても、スクリーン部を密着した状態で折畳むことができ、折畳み時のスクリーン部の見栄えを損なわず、かつ折畳み代を最小限に抑えることができる、プリーツスクリーンを提供することにある。
【課題を解決するための手段】
【０００５】
請求項１に係る考案は、図１〜図３に示すように、水平方向に延びて設けられかつ水平方向に延びる折り目１１ｃ，１１ｄで折畳み可能に展開され更に鉛直方向に交互に連結された光透過度の異なる複数枚の第１及び第２スクリーン部１１ａ，１１ｂを有するスクリーン本体１１と、スクリーン本体１１の上端を保持するヘッドレール１２と、スクリーン本体１１の下端に取付けられたボトムレール１３と、ヘッドレール１２から垂下されボトムレール１３に連結されてボトムレール１３を昇降させるとともにスクリーン本体１１を折畳み可能に展開する昇降コード１４と、ヘッドレール１２から垂下され複数枚の第１スクリーン部１１ａの下端をそれぞれ連結するとともに複数枚の第１スクリーン部１１ａを全開にしかつ複数枚の第２スクリーン部１１ｂを折畳んだ状態で一直線上に延びる長さを有する第１開閉コード２１と、ヘッドレール１２から垂下され複数枚の第２スクリーン部１１ｂの下端をそれぞれ連結するとともに複数枚の第２スクリーン部１１ｂを全開にしかつ複数枚の第１スクリーン部１１ａを折畳んだ状態で一直線上に延びる長さを有する第２開閉コード２２と、第１スクリーン部１１ａを折畳み状態から展開状態に変更するとき第２スクリーン部１１ｂを展開状態から折畳み状態に変更しかつ第１スクリーン部１１ａを展開状態から折畳み状態に変更するとき第２スクリーン部１１ｂを折畳み状態から展開状態に変更する光透過度切換操作コード１６と、第１及び第２スクリーン部１１ａ，１１ｂに展開する方向に力を付与するウエイト部材１７とを備えたプリーツスクリーンである。
【０００６】
この請求項１に記載されたプリーツスクリーンでは、第１及び第２スクリーン部１１ａ，１１ｂの双方が折畳まれて窓がプリーツスクリーン１０により全く覆われない状態から昇降コード１４を繰出すと、第１及び第２スクリーン部１１ａ，１１ｂがそれぞれ約６０度の角度で展開して、窓がプリーツスクリーン１０により覆われる。この状態で光透過度切換操作コード１６を操作して、第２開閉コード２２を繰出すと、第１スクリーン部１１ａが折畳み状態となり、第２スクリーン部１１ｂが全開状態となる。このときウエイト部材１７が第２スクリーン部１１ｂに展開する方向に力を付与するので、第２スクリーン部１１ｂが約１８０度で展開した全開状態となるとともに、第１スクリーン部１１ａが密着した折畳み状態となる。次に光透過度切換操作コード１６を操作して、第２開閉コード２２を引上げると、第１スクリーン部１１ａが全開状態となり、第２スクリーン部１１ｂが折畳み状態となる。このときウエイト部材１７が第１スクリーン部１１ａに展開する方向に力を付与するので、第１スクリーン部１１ａが略１８０度で展開した全開状態となるとともに、第２スクリーン部１１ｂが密着した折畳み状態となる。
【０００７】
請求項２に係る考案は、請求項１に係る考案であって、図１〜図３に示すように、ウエイト部材１７が第１又は第２開閉コード２１，２２のいずれか一方又は双方の下端に設けられたことを特徴とする。この請求項２に記載されたプリーツスクリーンでは、第１及び第２スクリーン部１１ａ，１１ｂの双方が折畳まれて窓がプリーツスクリーン１０により全く覆われない状態から昇降コード１４を繰出すと、第１及び第２スクリーン部１１ａ，１１ｂがそれぞれ約６０度の角度で展開して、窓がプリーツスクリーン１０により覆われる。この状態で光透過度切換操作コード１６を操作して、第２開閉コード２２を繰出すと、第１スクリーン部１１ａが折畳み状態となり、第２スクリーン部１１ｂが全開状態となる。このときウエイト部材１７が第２開閉コード２２に張力を付与するので、この張力が各第２スクリーン部１１ｂの下端に伝達され、第２スクリーン部１１ｂが略１８０度で展開した全開状態となるとともに、第１スクリーン部１１ａが密着した折畳み状態となる。次に光透過度切換操作コード１６を操作して、第２開閉コード２２を引上げると、第１スクリーン部１１ａが全開状態となり、第２スクリーン部１１ｂが折畳み状態となる。このときウエイト部材１７が第１開閉コード２１に張力を付与するので、第１スクリーン部１１ａが略１８０度で展開した全開状態となるとともに、第２スクリーン部１１ｂが密着した折畳み状態となる。
【０００８】
請求項３に係る考案は、請求項１に係る考案であって、図８及び図９に示すように、ウエイト部材４７が、複数枚の第１スクリーン部１１ａの下端にそれぞれ取付けられた複数の第１錘４７ａと、複数枚の第２スクリーン部１１ｂの下端にそれぞれ取付けられた複数の第２錘４７ｂとを有することを特徴とする。この請求項３に記載されたプリーツスクリーンでは、第１及び第２スクリーン部１１ａ，１１ｂの双方が折畳まれて窓がプリーツスクリーン４０により全く覆われない状態から昇降コード１４を繰出すと、第１及び第２スクリーン部１１ａ，１１ｂがそれぞれ約６０度の角度で展開して、窓がプリーツスクリーン４０により覆われる。この状態で光透過度切換操作コード１６を操作して、第２開閉コード２２を繰出すと、第１スクリーン部１１ａが折畳み状態となり、第２スクリーン部１１ｂが全開状態となる。このとき第２錘４７ｂが各第２スクリーン部１１ｂに展開する方向に力を付与するので、第２スクリーン部１１ｂが略１８０度で展開した全開状態となるとともに、第１スクリーン部１１ａが密着した折畳み状態となる。次に光透過度切換操作コード１６を操作して、第２開閉コード２２を引上げると、第１スクリーン部１１ａが展開状態となり、第２スクリーン部１１ｂが折畳み状態となる。このとき第１錘４７ａが各第１スクリーン部１１ａに展開する方向に力を付与するので、第１スクリーン部１１ａが略１８０度で展開した全開状態となるとともに、第２スクリーン部１１ｂが密着した折畳み状態となる。
【０００９】
請求項４に係る考案は、請求項１ないし３いずれか１項に係る考案であって、図１０〜図１３に示すように、第１開閉コード７１の上端と第２開閉コード２２の上端とが切換プーリ７３を介して連結され、この切換プーリ７３が光透過度切換操作コード１６により回動されるように構成されたことを特徴とする。この請求項４に記載されたプリーツスクリーンでは、第１及び第２スクリーン部１１ａ，１１ｂの双方が折畳まれて窓がプリーツスクリーン７０により全く覆われない状態から昇降コード１４を繰出すと、第１及び第２スクリーン部１１ａ，１１ｂがそれぞれ約６０度の角度で展開して、窓がプリーツスクリーン７０により覆われる。この状態で光透過度切換操作コード１６を所定の方向に操作すると、切換プーリ７３が所定の方向に回転し、第１開閉コード７１が引上げられかつ第２開閉コード２２が繰出されて、最上端及び最下端のスクリーン部１１ａ，１１ｂを除き、第１スクリーン部１１ａが全て折畳み状態となり、第２スクリーン部１１ｂが全て全開状態となる。次に光透過度切換操作コード１６を上記とは逆の方向に操作すると、切換プーリ７３が上記方向とは逆の方向に回転し、第１開閉コード７１が繰出されかつ第２開閉コード２２が引上げられて、最上端及び最下端のスクリーン部１１ａ，１１ｂを除き、第１スクリーン部１１ａが全て展開状態となり、第２スクリーン部１１ｂが全て折畳み状態となる。
【００１０】
請求項５に係る考案は、請求項１ないし４いずれか１項に係る考案であって、図１〜図３に示すように、第１スクリーン部１１ａが厚さの薄い生地により形成されて採光性を有し、第２スクリーン部１１ｂが厚さの厚い生地により形成されて遮光性を有することを特徴とする。この請求項５に記載されたプリーツスクリーンでは、第１及び第２スクリーン部１１ａ，１１ｂの双方が折畳まれて窓がプリーツスクリーン１０により全く覆われない状態から昇降コード１４を繰出すと、第１及び第２スクリーン部１１ａ，１１ｂがそれぞれ約６０度の角度で展開して、窓がプリーツスクリーン１０により覆われる。このとき室外の光が採光性を有する第１スクリーン部１１ａを通って室内に入る。室外の光が室内に全く入らないようにしたいときは、光透過度切換操作コード１６を操作して、第２開閉コード２２を繰出す。これにより採光性を有する第１スクリーン部１１ａが折畳み状態となり、遮光性を有する第２スクリーン部１１ｂが全開状態となるので、室外の光は全開状態の第１スクリーン部１１ａにより遮られて室内に全く入らない。一方、室外の光を室内に入れたいときは、光透過度切換操作コード１６を操作して、第１開閉コード２１を繰出し第２開閉コード２２を引上げる。これにより採光性を有する第１スクリーン部１１ａが全開状態となり、遮光性を有する第２スクリーン部１１ｂが折畳み状態となるので、室外の光は全開状態の第２スクリーン部１１ｂを通って室内に入る。
【考案の効果】
【００１１】
本考案によれば、スクリーン本体が、交互に連結された光透過度の異なる第１及び第２スクリーン部を有し、昇降コードがスクリーン本体下端のボトムレールを昇降させてスクリーン本体を折畳み可能に展開し、第１開閉コードが各第１スクリーン部の下端を連結し、第２開閉コードが各第２スクリーン部の下端を連結し、光透過度切換操作コードが第１及び第２スクリーン部の折畳み状態又は展開状態への変更を切換え、更にウエイト部材が第１及び第２スクリーン部に展開する方向に力を付与するように構成したので、光透過度切換操作コードを操作して、第１スクリーン部を折畳み状態とし、第２スクリーン部を全開状態とすると、ウエイト部材が第２スクリーン部に展開する方向に力を付与する。この結果、第２スクリーン部が約１８０度で展開した全開状態となるとともに、第１スクリーン部が密着した折畳み状態となる。また光透過度切換操作コードを操作して、第１スクリーン部を全開状態とし、第２スクリーン部を折畳み状態とすると、ウエイト部材が第１スクリーン部に展開する方向に力を付与する。この結果、第１スクリーン部が略１８０度で展開した全開状態となるとともに、第２スクリーン部が密着した折畳み状態となる。従って、スクリーン部の折畳み強度が高くて折畳み難くても、ウエイト部材によりスクリーン部を密着した状態で折畳むことができるので、折畳み時のスクリーン部の見栄えを損なわず、かつ折畳み代を最小限に抑えることができる。
【００１２】
またウエイト部材を第１又は第２開閉コードのいずれか一方又は双方の下端に設ければ、ウエイト部材が少なくて済むので、ウエイト部材の組付工数を削減できるとともに、ウエイト部材という部品の管理を容易に行うことができる。またウエイト部材が、複数枚の第１スクリーン部の下端にそれぞれ取付けられた複数の第１錘と、複数枚の第２スクリーン部の下端にそれぞれ取付けられた複数の第２錘とを有すれば、ウエイト部材の組付工数が増大し、ウエイト部材という部品の管理が煩わしくなるけれども、第１及び第２錘が各第１及び第２スクリーン部に展開する方向に力を確実に付与するので、各スクリーン部を全開状態又は密着した折畳み状態にすることができる。この結果、折畳み時のスクリーン部の見栄えを損なわず、かつ折畳み代を最小限に抑えることができる。また第１開閉コードの上端と第２開閉コードの上端とを切換プーリを介して連結し、この切換プーリを光透過度切換操作コードにより回動するように構成すれば、最上端及び最下端のスクリーン部が全開状態又は折畳み状態にならないけれども、第１又は第２開閉コードのいずれか一方のみを光透過度切換操作コードで操作する場合より、その操作量を低減できる。更に第１スクリーン部が厚さの薄い生地により形成されて採光性を有し、第２スクリーン部が厚さの厚い生地により形成されて遮光性を有すれば、光透過度切換操作コードを操作して、第１スクリーン部の開度を小さくし第２スクリーン部の開度を大きくすると、室外から室内に入る光量を多くすることができ、第１スクリーン部の開度を大きくし第２スクリーン部の開度を小さくすると、室外から室内に入る光量を少なくすることができる。このように室外から室内に入射する光量を容易に調節できる。
【考案を実施するための最良の形態】
【００１３】
次に本考案を実施するための最良の形態を図面に基づいて説明する。
＜第１の実施の形態＞
図１〜図３に示すように、プリーツスクリーン１０は、鉛直方向に交互に連結された複数枚の第１及び第２スクリーン部１１ａ，１１ｂを有するスクリーン本体１１と、スクリーン本体１１の上端を保持するヘッドレール１２と、スクリーン本体１１の下端に取付けられたボトムレール１３と、ヘッドレール１２から垂下されボトムレール１３に連結された昇降コード１４と、ヘッドレール１２から垂下され複数枚の第１スクリーン部１１ａの下端をそれぞれ連結する第１開閉コード２１と、ヘッドレール１２から垂下され複数枚の第２スクリーン部１１ｂの下端をそれぞれ連結する第２開閉コード２２と、第１スクリーン部１１ａを展開状態又は折畳み状態に変更し第２スクリーン部１１ｂを折畳み状態又は展開状態に変更する光透過度切換操作コード１６と、第１及び第２スクリーン部１１ａ，１１ｂに展開する方向に力を付与するウエイト部材１７とを備える。第１スクリーン部１１ａは光透過度が高い生地、即ち厚さの薄い生地により形成されて採光性を有し、第２スクリーン部１１ｂは光透過度が低い生地、即ち厚さの厚い生地により形成されて遮光性を有する。第１及び第２スクリーン部１１ａ，１１ｂはいずれも水平方向に延びて設けられる。また第１及び第２スクリーン部１１ａ，１１ｂには、鉛直方向中央に水平方向に延びる折り目１１ｃ，１１ｄがそれぞれ形成され、これらの折り目１１ｃ，１１ｄで折畳み可能に展開される。上記複数枚の第１スクリーン部１１ａと複数枚の第２スクリーン部１１ｂとが鉛直方向に交互に連結されてスクリーン本体１１が構成される。スクリーン本体１１の上端（この実施の形態では第２スクリーン部１１ｂの上端）はヘッドレール１２に取付けられ、スクリーン本体１１の下端（この実施の形態では第１スクリーン部１１ａの下端）はボトムレール１３に取付けられる。更に各第１及び第２スクリーン部１１ａ，１１ｂには昇降コード１４が通過可能な第１及び第２長孔１１ｅ，１１ｆがそれぞれ形成される。
【００１４】
ヘッドレール１２及びボトムレール１３はアルミ合金等の軽合金の押出し加工又は引抜き加工により左右に一直線上に延びてそれぞれ形成される。またヘッドレール１２はブラケット１８を介して窓の上縁に沿うように取付けられる。更に昇降コード１４は、この実施の形態では２本設けられる（図１及び図７）。下端がボトムレール１３にそれぞれ取付けられた２本の昇降コード１４は各第１及び第２スクリーン部１１ａ，１１ｂの第１及び第２長孔１１ｅ，１１ｆをそれぞれ通り、ヘッドレール１２内に回転可能に取付けられた一対の昇降用案内プーリ１９，１９（図７）にそれぞれ掛けられ、更にヘッドレール１２内に設けられたストッパ２３（図７）を通ってヘッドレール１２外のコードジョイント２４の上端にそれぞれ取付けられる。このコードジョイント２４の下端には操作コード２６の上端が取付けられ、操作コード２６の下端は安全ジョイント２７を介してボトムレール１３に取付けられる（図１〜図３）。上記操作コード２６を操作することにより、２本の昇降コード１４の下端が上下動してボトムレール１３が昇降し、スクリーン本体１１が折畳み可能に展開するように構成される。なお、上記ストッパ２３は、ボトムレール１３を任意の高さに一時的に停止させるために２本の昇降コード１４，１４を固定できるように構成される。
【００１５】
第１及び第２開閉コード２１，２２は、この実施の形態では２本ずつ設けられる（図１〜図３）。第１開閉コード２１は複数枚の第１スクリーン部１１ａを全開にしかつ複数枚の第２スクリーン部１１ｂを折畳んだ状態で一直線上に延びる長さを有する。即ち、第１開閉コード２１の第１スクリーン部１１ａ下端への隣合う連結部間の長さは全開状態の第１スクリーン部１１ａの高さより第２スクリーン部１１ｂの折畳み厚さ分だけ長く設定される（図３及び図６）。また第２開閉コード２２はこの実施の形態では２本設けられ、複数枚の第２スクリーン部１１ｂを全開にしかつ複数枚の第１スクリーン部１１ａを折畳んだ状態で一直線上に延びる長さを有する。即ち、第２開閉コード２２の第２スクリーン部１１ｂ下端への隣合う連結部間の長さは全開状態の第２スクリーン部１１ｂの高さより第１スクリーン部１１ａの折畳み厚さ分だけ長く設定される（図２及び図５）。また第１開閉コード２１の上端はヘッドレール１２に固定され、第１開閉コード２１の下端には第１錘１７ａが取付けられる（図１〜図６）。但し、ボトムレール１３に取付けられた最下段の第１スクリーン１１ａの下端には第１開閉コード２１は連結されない。更に第２開閉コード２２の上端はヘッドレール１２内の切換プーリ（図示せず）に巻付けられ、第２開閉コード２２の下端には第２錘１７ｂが取付けられる。上記第１錘１７ａ及び第２錘１７ｂによりウエイト部材１７が構成される。上記切換プーリは、図示しないが第２開閉コード２２の上端を巻付ける巻付プーリと、巻付プーリと同軸に設けられ光透過度切換操作コード１６が掛けられる駆動プーリとからなる。なお、第１スクリーン部をヘッドレールに取付けかつ第２スクリーンをボトムレールに取付けるようにスクリーン本体を構成する場合には、第２開閉コードの上端をヘッドレールに取付け、第１開閉コードの上端を巻付プーリに巻付けるように構成される。
【００１６】
このように構成されたプリーツスクリーン１０の動作を説明する。第１及び第２スクリーン部１１ａ，１１ｂの双方が折畳まれて窓がプリーツスクリーン１０により全く覆われない状態から、操作コード２６を瞬時にしかも僅かに引下げると、ストッパ２３による昇降コード１４の一時的停止が解除されるので、操作コード２６を把持する力を緩めると、この操作コード２６にコードジョイント２４を介して連結された２本の昇降コード１４，１４がボトムレール１３及びスクリーン本体１１の自重により引っ張られてヘッドレール１２から繰出され、ボトムレール１３が降下する。ボトムレール１３の降下が完了すると、第１及び第２スクリーン部１１ａ，１１ｂがそれぞれ約６０度の角度で展開して、窓がプリーツスクリーン１０により覆われる（図１及び図４）。
【００１７】
室外の光が室内に全く入らないようにしたいときは、光透過度切換操作コード１６を操作して、第２開閉コード２２を繰出す。これにより第２錘１７ｂが各第２開閉コード２２に張力を付与して第２スクリーン部１１ｂの下端を引下げるので、各第２スクリーン部１１ｂが略１８０度で展開した全開状態となり、第１スクリーン部１１ａが密着した折畳み状態となる（図２及び図５）。この結果、室外の光は遮光性を有する第２スクリーン部１１ｂにより遮られて室内に全く入らない。一方、室外の光を室内に入れたいときは、光透過度切換操作コード１６を操作して、第２開閉コード２２を引上げる。これにより第１錘１７ａが各第１開閉コード２１に張力を付与して第１スクリーン部１１ａの下端を引下げるので、各第１スクリーン部１１ａが略１８０度で展開した全開状態となり、第２スクリーン部１１ｂが密着した折畳み状態となる（図３及び図６）。この結果、室外の光は全開状態の第１スクリーン部１１ａを通って室内に入る。このように採光性を有する第１スクリーン部１１ａの開度を小さくし遮光性を有する第２スクリーン部１１ｂの開度を大きくすると、室外から室内に入る光量を少なくすることができ、また採光性を有する第１スクリーン部１１ａの開度を大きくし遮光性を有する第２スクリーン部１１ｂの開度を小さくすると、室外から室内に入る光量を多くすることができる。従って、室外から室内に入る光量を容易に調節できる。またスクリーン部１１ａ，１１ｂの折り目１１ｃ，１１ｄの変形抵抗が大きくてスクリーン部１１ａ，１１ｂが折畳み難かったり或いは展開し難い場合、特にスクリーン部１１ａ，１１ｂの折畳み強度が高くて折畳み難くても、ウエイト部材１７によりスクリーン部１１ａ，１１ｂを密着した状態で折畳むことができるので、折畳み時のスクリーン部１１ａ，１１ｂの見栄えを損なわず、かつ折畳み代を最も小さくすることができる。
【００１８】
＜第２の実施の形態＞
図８及び図９は本考案の第２の実施の形態を示す。図８及び図９において図１及び図４と同一符号は同一部品を示す。この実施の形態では、ウエイト部材４７が、複数枚の第１スクリーン部１１ａの下端にそれぞれ取付けられた複数の第１錘４７ａと、複数枚の第２スクリーン部１１ｂの下端にそれぞれ取付けられた複数の第２錘４７ｂとを有する。第１錘４７ａは各第１スクリーン部１１ａの下端の全長にわたって均等に取付けられ、第２錘４７ｂは各第２スクリーン部１１ｂの下端の全長にわたって均等に取付けられる。上記以外は第１の実施の形態と同一に構成される。
【００１９】
このように構成されたプリーツスクリーン４０の動作を説明する。室外の光が室内に全く入らないようにしたいときは、光透過度切換操作コード１６を操作して、第２開閉コード２２を繰出すと、第１スクリーン部１１ａが折畳み状態となり、第２スクリーン部１１ｂが全開状態となる。このとき各第２錘４７ａが各第２スクリーン部１１ｂに展開する方向に力を確実に付与するので、第２スクリーン部１１ｂが略１８０度で展開した全開状態となるとともに、第１スクリーン部１１ａが密着した折畳み状態となる。一方、室外の光を室内に入れたいときは、光透過度切換操作コード１６を操作して、第２開閉コード２２を引上げると、第１スクリーン部１１ａが展開状態となり、第２スクリーン部１１ｂが折畳み状態となる。このとき各第１錘４７ａが各第１スクリーン部１１ａに展開する方向に力を確実に付与するので、第１スクリーン部１１ａが略１８０度で展開した全開状態となるとともに、第２スクリーン部１１ｂが密着した折畳み状態となる。従って、上記第１の実施の形態と比較して、ウエイト部材４７の組付工数が増大し、ウエイト部材４７という部品の管理が煩わしくなるけれども、各第１又は第２錘４７ａ，４７ｂが各第１又は第２スクリーン部１１ａ，１１ｂに展開する方向に力を確実に付与するので、第１又は第２スクリーン部１１ａ，１１ｂを全開状態にするとともに、第２又は第１スクリーン部１１ｂ，１１ａを密着した折畳み状態にすることができる。この結果、折畳み時のスクリーン部１１ａ，１１ｂの見栄えを損なわず、かつ折畳み代を最小限に抑えることができる。上記以外の動作は第１の実施の形態の動作と略同様であるので、繰返しの説明を省略する。
【００２０】
＜第３の実施の形態＞
図１０〜図１３は本考案の第３の実施の形態を示す。図１０〜図１３において図１、図５及び図６と同一符号は同一部品を示す。この実施の形態では、第１開閉コード７１の上端と第２開閉コード２２の上端とが切換プーリ７３を介して連結され、この切換プーリ７３が光透過度切換操作コード１６により回動されるように構成される（図１１）。切換プーリ７３は、第１及び第２開閉コード７１，２２を直接連結した状態でこれらのコード７１，２２を巻き付ける巻付プーリ７３ａと、巻付プーリ７３ａと同軸に設けられ光透過度切換操作コード１６が掛けられる駆動プーリ７３ｂとからなる。なお、図１１中の符号８１は第１開閉コード７１を切換プーリ７３の方向に案内する第１開閉用案内プーリであり、符号８２は第２開閉コード２２を切換プーリ７３の方向に案内する第２開閉用案内プーリである。上記以外は第１の実施の形態と同一に構成される。
【００２１】
このように構成されたプリーツスクリーン７０の動作を説明する。室外の光が室内に全く入らないようにしたいときは、光透過度切換操作コード１６を所定の方向に操作すると、切換プーリ７３が所定の方向に回転し、第１開閉コード７１が引上げられかつ第２開閉コード２２が繰出されて、最上端の第２スクリーン部１１ｂ及び最下端の第１スクリーン部１１ａを除き、第１スクリーン部１１ａが全て折畳み状態となり、第２スクリーン部１１ｂが全て全開状態となる（図１２）。このとき最下端の第１スクリーン部１１ａが折畳み状態になっていないけれども、通常、最下段の第１スクリーン部１１ａは窓から下方に外れているため、室外の光は最下段の第１スクリーン部１１ａから殆ど入らない。一方、室外の光を室内に入れたいときは、光透過度切換操作コード１６を上記とは逆の方向に操作すると、切換プーリ７３が上記方向とは逆の方向に回転し、第１開閉コード７１が繰出されかつ第２開閉コード２２が引上げられて、最上端の第２スクリーン部１１ｂ及び最下端の第１スクリーン部１１ａを除き、第１スクリーン部１１ａが全て展開状態となり、第２スクリーン部１１ｂが全て折畳み状態となる（図１３）。このとき最下端の第１スクリーン部１１ａが全開状態になっていないけれども、通常、最下段の第１スクリーン部１１ａは窓から下方に外れているため、最下段の第１スクリーン部１１ａは室外の光を室内に入れるのに殆ど影響しない。このように最上端の第２スクリーン部１１ｂ及び最下端の第１スクリーン部１１ａが全開状態又は折畳み状態にならないけれども、光透過度切換操作コード１６の操作量を第１の実施の形態における光透過度切換操作コード１６の操作量の約半分に低減できる。上記以外の動作は第１の実施の形態の動作と略同様であるので、繰返しの説明を省略する。
【図面の簡単な説明】
【００２２】
【図１】本考案第１実施形態のプリーツスクリーンの第１及び第２スクリーン部の双方を所定の角度で展開した状態を示す斜視図である。
【図２】そのプリーツスクリーンの第１スクリーン部を全て折畳みかつ第２スクリーン部を全て全開にした状態を示す斜視図である。
【図３】そのプリーツスクリーンの第１スクリーン部を全て全開にしかつ第２スクリーン部を全て折畳んだ状態を示す斜視図である。
【図４】図１のＡ−Ａ線断面図である。
【図５】図２のＢ−Ｂ線断面図である。
【図６】図３のＣ−Ｃ線断面図である。
【図７】そのプリーツスクリーンの昇降コードの配索状態を示す要部斜視図である。
【図８】本考案第２実施形態のプリーツスクリーンを示す図１に対応する斜視図である。
【図９】図８のＤ−Ｄ線断面図である。
【図１０】本考案第３実施形態のプリーツスクリーンの第１及び第２スクリーン部の双方を所定の角度で展開した状態を示す図１に対応する斜視図である。
【図１１】そのプリーツスクリーンの第１及び第２開閉コードの配索状態を示す要部斜視図である。
【図１２】最上端及び最下端のスクリーン部を除き、第１スクリーン部を全て折畳み状態とし第２スクリーン部を全て全開状態とした図５に対応する断面図である。
【図１３】最上端及び最下端のスクリーン部を除き、第１スクリーン部を全て全開状態とし第２スクリーン部を全て折畳み状態とした図６に対応する断面図である。
【符号の説明】
【００２３】
１０，４０，７０  プリーツスクリーン
１１  スクリーン本体
１１ａ  第１スクリーン部
１１ｂ  第２スクリーン部
１１ｃ，１１ｄ  折り目
１２  ヘッドレール
１３  ボトムレール
１４  昇降コード
１６  光透過度切換操作コード
１７，４７  ウエイト部材
２１，７１  第１開閉コード
２２  第２開閉コード
４７ａ  第１錘
４７ｂ  第２錘
７３  切換プーリ
【図１】
0003141530.tif 000003
【図２】
0003141530.tif 000004
【図３】
0003141530.tif 000005
【図４】
0003141530.tif 000006
【図５】
0003141530.tif 000007
【図６】
0003141530.tif 000008
【図７】
0003141530.tif 000009
【図８】
0003141530.tif 000010
【図９】
0003141530.tif 000011
【図１０】
0003141530.tif 000012
【図１１】
0003141530.tif 000013
【図１２】
0003141530.tif 000014
【図１３】
0003141530.tif 000015